(57)【要約】【課題】単純な構成で２０８Ｖの商用電源と２４０Ｖの商用電源との電圧を正確に判定する。【解決手段】複合機１に備えられた電源電圧判定装置６０は、商用電源８０のライブ端子８１とニュートラル端子８２との間で測定した電圧値から、商用電源８０が１００Ｖの交流電源であるか２００Ｖ以上の交流電源であるかを判定する電源電圧判定部６２と、商用電源８０が２００Ｖ以上の交流電源であると判定された際に電源電圧判定部６２のライブ端子８１又はニュートラル端子８２への接続を、接地端子８３への接続に切り換える切換スイッチ６１とを備えている。また、電源電圧判定部６２は、商用電源８０が２００Ｖ以上の交流電源であると判定した際、商用電源８０のライブ端子８１と接地端子８３との間で測定した電圧値から、商用電源８０が２４０Ｖのデルタ接続の三相交流電源であるか２０８Ｖのスター接続の三相交流電源であるかを判定する。【選択図】図３
2008026175.tif 000002
【特許請求の範囲】
【請求項１】
接続された商用電源のライブ端子とニュートラル端子との間の電圧値から前記商用電源が１００Ｖの交流電源であるか２００Ｖ以上の交流電源であるかを電源電圧判定部が判定し、
前記商用電源が２００Ｖ以上の交流電源であると判定した際、前記商用電源のライブ端子又はニュートラル端子の一方と接地端子との間の電圧値から前記商用電源が２４０Ｖのデルタ接続の三相交流電源であるか２０８Ｖのスター接続の三相交流電源であるかを前記電源電圧判定部が判定することを特徴とする電源電圧判定方法。
【請求項２】
接続された前記商用電源のライブ端子とニュートラル端子との間で測定した電圧値から、前記商用電源が１００Ｖの交流電源であるか２００Ｖ以上の交流電源であるかを判定する電源電圧判定部と、
前記電源電圧判定部によって前記商用電源が２００Ｖ以上の交流電源であると判定された際、前記電源電圧判定部のライブ端子又はニュートラル端子への一方の接続を、接地端子への接続に切り換える切換手段と、
前記電源電圧判定部は、前記商用電源が２００Ｖ以上の交流電源であると判定した際、接続された前記商用電源のライブ端子又はニュートラル端子の一方と接地端子との間で測定した電圧値から、前記商用電源が２４０Ｖのデルタ接続の三相交流電源であるか２０８Ｖのスター接続の三相交流電源であるかを判定することを特徴とする電源電圧判定装置。
【請求項３】
前記電源電圧判定部は、前記商用電源のライブ端子とニュートラル端子とに接続され、前記商用電源が１００Ｖの交流電源であるか２００Ｖ以上の交流電源であるかを判定する第１電源電圧判定部と、前記商用電源のライブ端子又はニュートラル端子の一方と接地端子とに接続され、前記商用電源が２４０Ｖのデルタ接続の三相交流電源であるか２０８Ｖのスター接続の三相交流電源であるかを判定する第２電源電圧判定部と、を含むことを特徴とする請求項２に記載の電源電圧判定装置。
【請求項４】
用紙に画像形成を行う画像形成装置に配置される定着装置であって、商用電源からの電力の供給を受け、用紙に転写された現像剤像を加熱定着させる定着手段を有する定着装置において
請求項２又は３に記載の電源電圧判定装置を備え、
前記電源電圧判定装置の判定結果が２４０Ｖのデルタ接続の三相交流電源であるか２０８Ｖのスター接続の三相交流電源であるかに応じて前記商用電源から定着手段への電力供給を制御する制御部を備えたことを特徴とする定着装置。
【請求項５】
商用電源からの電力の供給を受け、用紙に転写された現像剤像を加熱定着させる定着手段を備えた定着装置を有する画像形成装置において、
請求項２又は３に記載の電源電圧判定装置を備え、
前記電源電圧判定装置の判定結果が２４０Ｖのデルタ接続の三相交流電源であるか２０８Ｖのスター接続の三相交流電源であるかに応じて前記商用電源から定着手段への電力供給を制御する制御部を備えたことを特徴とする画像形成装置。
【発明の詳細な説明】
【技術分野】
【０００１】
この発明は、接続された商用電源の電圧を判定する電源電圧判定方法及び電源電圧判定装置、この電源電圧判定装置を備えた定着装置及び画像形成装置に関する。
【背景技術】
【０００２】
複写機等の画像形成装置は、商用電源から供給された電力によって動作する。この商用電源は、地域、各国等によって電圧の規格が異なる。そのため、従来の画像形成装置には、接続された商用電源の電圧値を判定し、判定結果に応じて電力供給の制御を行っていたものがある（例えば、特許文献１参照。）。特許文献１の画像形成装置では、商用電源のライブ端子とニュートラル端子との間の電圧値から、商用電源が１００Ｖの交流電源であるか２００Ｖの交流電源であるかを判定していた。
【特許文献１】特開平４−１６５９６０号公報
【発明の開示】
【発明が解決しようとする課題】
【０００３】
しかしながら、上述の特許文献１の構成では、所定地域で用いられている２４０Ｖのデルタ接続の商用電源及び２０８Ｖのスター接続の商用電源の電圧値を高精度で判別することができない。これらの商用電源は±１０％の電圧の変動が許容されているので、電圧変動時に測定した際のライブ端子とニュートラル端子との間の電圧値は、ほぼ同じ値または大きさが逆転した値となる場合がある。例えば、２４０Ｖの−１０％は２１６Ｖであり、２０８Ｖの＋１０％は２２９Ｖとなる。そのため、判定のための基準電圧（閾値）を設定することが困難となる。
【０００４】
また、従来の電源電圧を判定する構成では、接地端子に接続できない構成であることが多く、電圧の判定に接地端子とライブ端子又はニュートラル端子との間の電圧を検出することができない。
【０００５】
この発明の目的は、単純な構成で２０８Ｖの商用電源と２４０Ｖの商用電源との電圧を正確に判定することができる電源電圧判定方法及び電源電圧判定装置、この電源電圧判定装置を備えた定着装置及び画像形成装置を提供することにある。
【課題を解決するための手段】
【０００６】
この発明は、上記の課題を解決するために、以下の構成を備えている。
【０００７】
（１）この発明の電源電圧判定方法は、接続された商用電源のライブ端子とニュートラル端子との間の電圧値から商用電源が１００Ｖの交流電源であるか２００Ｖ以上の交流電源であるかを電源電圧判定部が判定する。その後、商用電源が２００Ｖ以上の交流電源であると判定した際、商用電源のライブ端子又はニュートラル端子の一方と接地端子との間の電圧値から商用電源が２４０Ｖのデルタ接続の三相交流電源であるか２０８Ｖのスター接続の三相交流電源であるかを前記電源電圧判定部が判定する。
【０００８】
この構成においては、接続された商用電源のライブ端子又はニュートラル端子の一方と接地端子との間の電圧値から２４０Ｖのデルタ接続の三相交流電源であるか２０８Ｖのスター接続の三相交流電源であるかが判定される。デルタ接続の三相交流電源とスター接続の三相交流電源とは、接地端子とライブ端子又はニュートラル端子の一方との間の電圧値が、許容されている電圧変動の範囲を考慮しても大きく異なる。したがって、誤判定が発生することがない。
【０００９】
（２）この発明の電源電圧判定装置は、電源電圧判定部と、切換手段とを備えている。電源電圧判定部は、接続された前記商用電源のライブ端子とニュートラル端子との間で測定した電圧値から、商用電源が１００Ｖの交流電源であるか２００Ｖ以上の交流電源であるかを判定する。切換手段は、電源電圧判定部によって商用電源が２００Ｖ以上の交流電源であると判定された際、電源電圧判定部のライブ端子又はニュートラル端子への一方の接続を、接地端子への接続に切り換える。また、電源電圧判定部は、商用電源が２００Ｖ以上の交流電源であると判定した際、接続された商用電源のライブ端子又はニュートラル端子の一方と接地端子との間で測定した電圧値から、商用電源が２４０Ｖのデルタ接続の三相交流電源であるか２０８Ｖのスター接続の三相交流電源であるかを判定する。
【００１０】
この構成においては、接続された商用電源のライブ端子又はニュートラル端子の一方と接地端子との間の電圧値から２４０Ｖのデルタ接続の三相交流電源であるか２０８Ｖのスター接続の三相交流電源であるかが判定される。デルタ接続の三相交流電源とスター接続の三相交流電源とは、接地端子とライブ端子又はニュートラル端子との間の電圧値が、許容されている電圧変動の範囲を考慮しても大きく異なる。したがって、誤判定が発生することがない。
【００１１】
（３）上記（２）の構成においては、電源電圧判定部を第１電源電圧判定部と第２電源電圧部とにすることができる。第１電源電圧部は、商用電源のライブ端子とニュートラル端子とに接続され、商用電源が１００Ｖの交流電源であるか２００Ｖ以上の交流電源であるかを判定する。第２電源電圧部は、商用電源のライブ端子又はニュートラル端子の一方と接地端子とに接続され、商用電源が２４０Ｖのデルタ接続の三相交流電源であるか２０８Ｖのスター接続の三相交流電源であるかを判定する。
【００１２】
この構成においては、第１電源電圧部及び第２電源電圧部で商用電源の電圧の判定が行われる。したがって、切換手段による切り換えが必要ない。
【００１３】
（４）この発明の定着装置は、定着手段と、電源電圧判定装置と、制御部とを備え、用紙に画像形成を行う画像形成装置に配置されている。定着手段は、商用電源からの電力の供給を受けて用紙に転写された現像剤像を加熱定着させる。電源電圧判定装置は、（２）又は（３）に記載の電源電圧判定装置である。制御部は、電源電圧判定装置の判定結果が２４０Ｖのデルタ接続の三相交流電源であるか２０８Ｖのスター接続の三相交流電源であるかに応じて前記商用電源から定着手段への電力供給を制御する。
【００１４】
この構成においては、現像剤像を加熱して定着させる定着手段への電力供給の制御が電源電圧判定装置によって判定された商用電源の電圧値に応じて行われる。商用電源の電圧の判定は正確に行われているので、誤判定によって定着手段への電力の供給が過多、過少とならず、加熱される定着手段の温度が設定温度に対してオーバーシュート、アンダーシュートすることがない。
【００１５】
（５）この発明の画像形成装置は、定着装置と、電源電圧判定装置と、制御部とを備えている。定着装置は、商用電源からの電力の供給を受け、用紙に転写された現像剤像を加熱定着させる定着手段を備えている。電源電圧判定装置は、（２）又は（３）に記載の電源電圧判定装置である。制御部は、電源電圧判定装置の判定結果が２４０Ｖのデルタ接続の三相交流電源であるか２０８Ｖのスター接続の三相交流電源であるかに応じて商用電源から定着手段への電力供給を制御する。
【００１６】
この構成においては、現像剤像を加熱して定着させる定着手段への電力供給の制御が電源電圧判定装置によって判定された商用電源の電圧値に応じて行われる。商用電源の電圧の判定は正確に行われているので、誤判定によって定着手段への電力の供給が過多、過少とならず、加熱される定着手段の温度が設定温度に対してオーバーシュート、アンダーシュートすることがない。
【発明の効果】
【００１７】
この発明によれば、以下の効果を奏することができる。
【００１８】
（１）商用電源のライブ端子又はニュートラル端子の一方と接地端子との間の電圧値から２４０Ｖのデルタ接続の三相交流電源であるか２０８Ｖのスター接続の三相交流電源であるかを判定することによって、単純な構成で正確に商用電源の電圧値を判定することができる。また、１００Ｖ及び２００Ｖの判定にはライブ端子とニュートラル端子間の電圧を検出しているので、確実な判定が可能となる。
【００１９】
（２）商用電源のライブ端子又はニュートラル端子の一方と接地端子との間の電圧値から２４０Ｖのデルタ接続の三相交流電源であるか２０８Ｖのスター接続の三相交流電源であるかを判定することによって、単純な構成で正確に商用電源の電圧値を判定することができる。また、１００Ｖ及び２００Ｖの判定にはライブ端子とニュートラル端子間の電圧を検出しているので、確実な判定が可能となる。
【００２０】
（３）第１電源電圧部及び第２電源電圧部で商用電源の電圧の判定を行うことによって、切換手段による切り換えが必要なく、構成を単純にすることができる。
【００２１】
（４）定着手段への電力供給の制御を電源電圧判定装置により判定された商用電源の電圧値に応じて行うことによって、定着手段を設定温度に適切に維持することができ、現像剤像の定着性を維持することができる。
【発明を実施するための最良の形態】
【００２２】
以下、この発明の最良の実施形態に係る電源電圧判定装置を備えた画像形成装置を図面を参照しつつ詳細に説明する。
【００２３】
図１は、この発明の実施形態に係る画像形成装置であるディジタル複写機の構成を示す説明図である。ディジタル複写機（以下、複写機と言う。）１は、画像読取部１０、図示しない画像処理部及び画像形成部２０等から構成され、読み取った画像情報又は接続されたネットワーク等から受信した画像情報に基づいて用紙に画像を形成する。また、本実施形態の複写機１は、２０８Ｖの商用電源と２４０Ｖの商用電源に対応している。
【００２４】
画像読取部１０は、原稿の画像情報を読み取って電気信号に変換等した後に画像処理部に送信する。画像処理部は、受信した原稿の画像情報に所定の画像処理を施す。画像形成部２０は、レーザスキャニングユニット（以下、ＬＳＵと言う。）２１、感光体ドラム２２、現像ユニット２３及び定着装置２４等から構成され、画像処理部において画像処理が施された原稿の画像情報に基づいて用紙に画像を形成する。ＬＳＵ２１は、予め帯電された感光体ドラム２２の周面に、原稿の画像情報に基づいてレーザビーム等の光ビームを走査させて静電潜像を形成する。
【００２５】
感光体ドラム２２は、回転自在に支持されている。現像ユニット２３は、感光体ドラム２２の周面に現像剤を供給し、静電潜像を現像剤像（トナー像）に顕像化（現像）する。定着装置２４は、加熱ローラ（本発明の定着手段に相当する。）２５、加圧ローラ２６等から構成され、用紙に転写されたトナー像を溶融・固着させる。加熱ローラ２５及び加圧ローラ２６は、回転自在に支持され、加熱ローラ２５と加圧ローラ２６との定着部（ニップ部）２８に用紙を通過させる。また、加熱ローラ２５は、中空円筒の内部にヒータ２７（例えば、ハロゲンヒータ。）を有し、用紙が定着部２８を通過する際に用紙を熱定着させる。ヒータ２７は、温度に対する抵抗特性が正であり、加熱ローラ２５の周面を内部から加熱する。
【００２６】
複写機１は、図示しないコピー開始ボタンがユーザにより押下されてコピー開始の要求を受け付けるか、又は、ネットワーク等を介してＰＣ（パーソナルコンピュータ）等から送信されたプリント要求信号を受信すると画像形成動作を開始する。コピー開始の要求を受け付けた際は、原稿読取部１０において原稿の画像情報を読み取り、画像処理部において所定の画像処理が施された画像情報に基づいて感光体ドラム２２の周面に静電潜像を形成する。その後、静電潜像を顕像化したトナー像を用紙に転写する。次に、用紙を定着部２８に通過させて用紙上のトナーを溶融・固着させて堅牢に用紙に定着させて、排紙トレイ３０に排出することで画像形成動作が終了する。
【００２７】
また、上記のコピー開始要求等を受け付けた際、複写機１は、画像形成を開始するためにヒータ２７に電力の供給を開始して加熱ローラ２５の周面温度が設定温度になるように加熱する。画像形成動作中は、後述する制御部が上記加熱ローラ２５の周面温度の加熱動作を制御する。
【００２８】
図２は、この発明の実施形態に係るディジタル複写機の概略の構成を示すブロック図である。複写機１は、電力供給ユニット５０、電源電圧判定装置６０及び制御部７０を備えている。電力供給ユニット５０は、ゼロクロス信号検出回路５１及びトライアック５２等から構成され、接続された商用電源８０からヒータ２７へ電力を供給する。ゼロクロス信号検出回路５１は、商用電源８０の電圧波形のゼロクロス信号を検出し、制御部６０を構成する入出力装置（Ｉ／Ｏ）７４を介してＣＰＵ７３に送信する。
【００２９】
トライアック５２は、制御部７０を構成する入出力装置（Ｉ／Ｏ）７５を介して、ＣＰＵ７３からのトリガ信号を受信してヒータ２７への電力供給を開始する。また、トライアック５２は、電力供給中に商用電源８０の電圧波形のゼロクロスタイミング（電圧値が０）時に極性に依らずヒータ２７への電力供給を遮断する。
【００３０】
電源電圧判定装置６０は、図３（Ａ）に示すように切換スイッチ６１及び電源電圧判定部６２を備え、接続された商用電源８０の電圧値が、図６（Ａ）〜（Ｃ）に示すデルタ接続の三相交流電源、スター接続の三相交流電源、単相交流電源のいずれの電圧値（２０８Ｖ，２４０Ｖ，１００Ｖ）であるかを判定する。切換スイッチ６１は、電源電圧判定部６２の接続を商用電源８０のニュートラル端子８２又は接地端子８３の一方に切り換える。
【００３１】
電源電圧判定部６２は、図４に示すように整流回路６２１、平滑回路６２２、分圧回路６２３、比較回路６２４、電圧検出制御部６２５等から構成され、商用電源８０のライブ端子８１とニュートラル端子８２との間の電圧、ライブ端子８１と接地端子８３との間の電圧を測定して商用電源８０の電圧値を判定する。整流回路６２２は、商用電源８０のライブ端子８１と、ニュートラル端子８２または接地端子８３の一方とに接続され、交流電流を整流する公知の回路である。平滑回路６２２は、整流された交流電圧を平滑化する公知の回路である。
【００３２】
分圧回路６２３は、分圧を行う公知の回路である。本実施形態の分圧回路６２３は、平滑回路６２２から得られた電圧を１／１００にまで分圧する。比較回路６２４は、分圧回路６２３から入力された電圧が電圧検出制御部６２５から入力された基準電圧よりも大きいか小さいかを判定する公知の回路である。電圧検出制御部６２５は、基準電圧を出力し、比較回路６２４の比較結果から商用電源８０の電圧値を判定する。電圧検出制御部６２５は、判定結果を入出力装置（Ｉ／Ｏ）７８を介してＣＰＵ７３に出力する。なお、電圧検出制御部６２５は、制御部７０から受け取った判定処理開始要求に応じて判定を開始する。
【００３３】
制御部７０は、ＲＡＭ（Random Access Memory）７１、ＲＯＭ（Read Only Memory）７２、ＣＰＵ（Central Processing Unit）７３、入出力装置７４，７５，７８、Ａ／Ｄ変換器７６及びメモリ７７等から構成され、複写機１の動作全体を制御する。ＲＡＭ７１はデータを一次的に記憶しておく作業領域として用いる。ＲＯＭ７２は、ヒータ２７の電力供給制御用等の所定のプログラムが格納されている。ＣＰＵ７３は、所定のプログラムに基づいて複写機１全体の動作を制御する。
【００３４】
Ａ／Ｄ変換器７６は、コンパレータ６７を介して定着装置２４に備えられるサーミスタ２９から送信される加熱ローラ２５の周面の温度情報であるアナログ信号を受信する。その後、ディジタル信号に変換してＣＰＵ７３に送信する。メモリ７７は、不揮発性であって、判定された商用電源８０の電圧値等のデータを記憶する。
【００３５】
定着装置２４は、サーミスタ２９を備えている。サーミスタ２９は、加熱ローラ２５の回転方向における定着部２８の下流側に配置され、加熱ローラ２５の周面の温度を検出してＣＰＵ７３に送信する。
【００３６】
図５は、商用電源８０の電圧値を判定する手順を示すフローチャートである。制御部７０は、例えば複写機１の起動時に、メモリ７７が商用電源の電圧値を記憶しているか否かを判断する（Ｓ１）。例えばメモリ７７が商用電源の電圧値を記憶していない場合は未設定と判断する。
【００３７】
Ｓ１の処理において、制御部７０は、既に電圧値が設定されていると判断した場合は処理を終了する。一方、電圧値が未設定と判断した場合、制御部７０は商用電源８０の電圧値が１００Ｖであるか、２００Ｖ以上であるかの第１の判定処理を開始する（Ｓ２）。具体的には、制御部７０が第１の判定処理要求を電圧検出制御部６２５に出力することで開始する。
【００３８】
電圧検出制御部６２５は、第１の判定処理要求を受け取った後に切換スイッチ６１を駆動し、図３（Ａ）に示すように電源電圧判定部６２とニュートラル端子８２とを接続する。次いで、電圧検出制御部６２５は、基準電圧として１．６Ｖを出力し、比較回路６２４からの比較結果に基づいて商用電源８０の電圧値を判定する。なお、比較回路６２４に入力される電圧の値は、１００Ｖの商用電源の時は１．０Ｖ前後、２００Ｖ以上の商用電源の時は２．０Ｖ前後となる。その後、電圧検出制御部６２５は、判定結果を制御部７０に出力する。
【００３９】
制御部７０は、Ｓ２の第１の判定処理の開始後に判定結果を受け取るまで待機し（Ｓ３）、判定結果を受け取った後に商用電源８０が２００Ｖ以上であるか否かを判断する（Ｓ４）。１００Ｖであると判断した場合、制御部７０は、対応していない電圧の商用電源８０に接続されているので本複写機１を使用することができない旨を図示しない表示装置に表示して（Ｓ５）処理を終了する。
【００４０】
一方、Ｓ４の処理で２００Ｖ以上であると判断した場合、制御部７０は商用電源８０の電圧値が２０８Ｖであるか、２４０Ｖであるかの第２の判定処理を開始する（Ｓ６）。具体的には、制御部７０が第２の判定処理要求を電圧検出制御部６２５に出力することで開始する。
【００４１】
電圧検出制御部６２５は、第２の判定処理要求を受け取った後に切換スイッチ６１を駆動し、図３（Ｂ）に示すように電源電圧判定部６２と接地端子８３とを接続する。次いで、電圧検出制御部６２５は、基準電圧として１．８Ｖを出力し、比較回路６２４からの比較結果に基づいて商用電源８０の電圧値を判定する。その後、電圧検出制御部６２５は、判定結果を制御部７０に出力する。
【００４２】
なお、比較回路６２４に入力される電圧の値は、２４０Ｖの商用電源の時は２．４Ｖ前後、２０８Ｖの商用電源の時は１．２Ｖ前後となる。これは、スター接続の２０８Ｖの商用電源及びデルタ接続の２４０Ｖの商用電源は、図６（Ａ）及び（Ｂ）に示すように、ライブ端子８１と接地端子８３との間の電圧値（実効値）が１２０Ｖ及び２４０Ｖとなるからである。
【００４３】
そのため、たとえ電圧変動が±１５％あったとしても、１２０Ｖの＋１５％は１３８Ｖであり、２４０Ｖの−１５％は２０４Ｖであるので、判定するのに十分な差が生じている。したがって、判定を正確に行うことができる。
【００４４】
制御部８０は、Ｓ６の第２の判定処理の開始後に判定結果を受け取るまで待機し（Ｓ７）、判定結果を受け取った後に商用電源８０が２０８Ｖであるか否かを判断する（Ｓ８）。２０８Ｖであると判断した場合、制御部７０はメモリ７７に商用電源の電圧値（２０８Ｖ）を格納し（Ｓ９）、処理を終了する。一方、２４０Ｖであると判断した場合、制御部７０はメモリ７７に商用電源の電圧値（２４０Ｖ）を格納し（Ｓ１０）、処理を終了する。
【００４５】
なお、本実施形態では１００Ｖの商用電源に対応していないが、対応させた構成にしてもよい。
【００４６】
また、本実施形態では、ライブ端子８１と接地電圧８３との間の電圧値を測定する図５に示すＳ６の第２の判定処理を行っているが、ニュートラル端子８２と接地端子８３との間の電圧値を測定して行ってもよい。例えば、図７（Ａ），（Ｂ）に示すように電源電圧判定部６２の接続を商用電源８０のライブ端子８２又は接地端子８３の一方に切り換える切換スイッチ６１０を備えた構成とする。図５に示すＳ２の第１の判定処理では、切換スイッチ６１０を駆動してライブ端子８１とニュートラル端子８２との間の電圧値を測定し、基準電圧を１．６Ｖとして比較回路６２４で比較を行って商用電源の電圧値を判定する。図５に示すＳ６の第２の判定処理では、ニュートラル端子８２と接地端子８３との間の電圧値を測定し、基準電圧を０．５Ｖとして比較回路６２４で比較を行って商用電源８０の電圧値を判定する。第２の判定処理において比較回路６２４に入力される電圧の値は、２４０Ｖの商用電源の時は０Ｖ前後、２０８Ｖの商用電源の時は１．２Ｖ前後となる。
【００４７】
２４０Ｖのデルタ接続の商用電源８０及び２０８Ｖのスター接続の商用電源８０でのニュートラル端子８２と接地端子８３との間の電圧値（実効値）は、図６（Ａ），（Ｂ）に示すように０Ｖ及び１２０Ｖとなる。そのため、たとえ電圧変動が±１５％あったとしても、１２０Ｖの−１５％は１０２Ｖであり、０Ｖの＋１５％は０Ｖであるので、判定するのに十分な差が生じている。したがって、判定を正確に行うことができる。
【００４８】
制御部７０は、電圧値の設定後にコピー開始要求等の画像形成要求を受け付けた際、サーミスタ２９によって検出された加熱ローラ２５の周面温度と設定温度との比較を行う。なお、設定温度は予めメモリ７７に記憶されている。加熱ローラ２５の周面温度が設定温度よりも低いと判断した場合、制御部７０は周面温度が設定温度に到達するまで加熱ローラ２５を加熱する制御を行う。具体的には、メモリ７７から読み出した商用電源の電圧値に基づいてトライアック５２をＯＮ／ＯＦＦしてヒータ２７を発熱させる位相制御を行う。
【００４９】
商用電源８０の電圧値が２０８Ｖに設定されている場合、制御部７０は、ゼロクロス信号を受信したと判断した時にトライアック５２をＯＮする。本実施形態では商用電源８０の電圧波形のゼロクスタイミングをトリガにしてトライアック５２がＯＮからＯＦＦとなるのに伴ってヒータ２７もＯＦＦになる。上述のトライアック５２をＯＮさせる動作を加熱ローラ２５の周面温度が設定温度なるまで繰り返し行う。したがって、加熱ローラ２５の周面温度が設定温度になるまで、図８（Ａ）に示すように商用電源８０の電圧波形の半周期の全て（斜線部）に渡ってヒータ２７に電力が供給される。
【００５０】
一方、商用電源の電圧値が２４０Ｖに設定されている場合、制御部７０は、ゼロクロス信号を受信したと判断した時にメモリ７７から読み出した所定カウント値ｔ1 を読み出し、タイマを起動してカウントを開始する。その後、カウント値が所定カウント値ｔ1 にまでカウントアップした時、制御部７０は、トライアック５２をＯＮする。この処理を加熱ローラ２５の周面温度が設定温度なるまで繰り返し行う。つまり、図８（Ｂ）に示すように商用電源８０の電圧波形の半周期のうちｔ1 を除いた時間（斜線部）だけヒータ２７に電力が供給される。
【００５１】
この所定カウント値ｔ1 は、図８（Ｂ）に示す商用電源８０の電圧波形の半周期のうちｔ1 を除いた時間（斜線部）だけヒータ２７に供給する電力量が、２０８Ｖの商用電源８０が接続された際に電圧波形の半周期でヒータ２７に供給する電力量と同じ量となるように設定する。具体的には、図８（Ａ），（Ｂ）に示すように、半周期の開始時をｔ0 、終了時をｔ2、２４０Ｖの商用電源８０の電力供給の開始時（所定カウント値）をｔ1とした時の関係式が、
◎式１
となるようにｔ1を設定する。所定カウント値ｔ1は予めメモリ７７等に格納しておくのがよい。
【００５２】
これによって、２０８Ｖ，２４０Ｖのどちらの商用電源が接続された場合でも、誤判定により定着手段への電力の供給が過多、過少とならず、定着ローラ２５の周面温度が設定温度に対してオーバーシュート、アンダーシュートすることがない。したがって、加熱ローラ２５の周面を設定温度に適切に維持することができ、トナー像の定着性を維持することができる。
【００５３】
なお、本実施形態では、単一の制御部７０で定着装置２４を含めた複写機１全体の動作を制御しているが、定着装置２４の動作を制御する制御部（定着制御部）を定着装置に別途配設した構成とし、定着制御部が図５に示す処理を行うようにしてもよい。
【００５４】
また、本実施形態では、定着装置を有する画像形成装置について説明したが、商用電源に接続される電気機器であれば本発明の適用が可能である。
【図面の簡単な説明】
【００５５】
【図１】この発明の実施形態に係る画像形成装置であるディジタル複写機の構成を示す説明図である。
【図２】同ディジタル複写機の概略の構成を示すブロック図である。
【図３】この発明の実施形態に係る電源電圧判定装置の概略の構成及び接続状態を示す図である。
【図４】同電源電圧判定装置に備えられた電源電圧判定部の概略の構成及び接続状態を示す図である。
【図５】商用電源の電圧値を判定する手順を示すフローチャートである。
【図６】デルタ接続の三相交流電源の構成及び電圧の実効値及びスター接続の三相交流電源の構成及び電圧の実効値を示す説明図である。
【図７】この発明の他の実施形態に係る電源電圧判定装置の概略の構成及び接続状態を示す図である。
【図８】２０８Ｖの商用電源の電圧波形と２４０Ｖの商用電源の電圧波形を示す図である。
【符号の説明】
【００５６】
１−複合機
２３−定着装置
２５−加熱ローラ
２７−ヒータ
６０−電源電圧判定装置
６１−切換スイッチ
６２−電源電圧判定部
７０−制御部
８０−商用電源
【図１】
2008026175.tif 000003
【図２】
2008026175.tif 000004
【図３】
2008026175.tif 000005
【図４】
2008026175.tif 000006
【図５】
2008026175.tif 000007
【図６】
2008026175.tif 000008
【図７】
2008026175.tif 000009
【図８】
2008026175.tif 000010